(57)【要約】【課題】            本発明の目的は、濾過フィルターに付着した塵埃の除去を簡単に行える電気掃除機を提供することである。【解決手段】        前記目的を達成するために、本発明にかかる電気掃除機１は、清掃面から塵埃を吸い込む吸口体２と、前記吸口体２から吸引した塵埃を貯留する塵埃貯留部７と、吸い込み気流を発生させる電動送風機８を有し、前記吸い込み気流に対して前記電動送風機８の上流側に塵埃貯留部７を配置し、前記塵埃貯留部７と前記電動送風機８の間に濾過フィルター２４を設け、前記濾過フィルター２４は、表面が平坦で、微小な開口よりなる複数の貫通孔が設けられた金属板により構成されていることを特徴とする。【選択図】          図２
2005052394.tif 000002
【特許請求の範囲】
【請求項１】
清掃面から塵埃を吸い込む吸口体と、前記吸口体から吸引した塵埃を貯留する塵埃貯留部と、吸い込み気流を発生させる電動送風機を有し、
前記吸い込み気流に対して前記電動送風機の上流側に塵埃貯留部を配置し、前記塵埃貯留部と前記電動送風機の間に濾過フィルターを設け、
前記濾過フィルターは、表面が平坦で、微小な開口よりなる複数の貫通孔が設けられた金属板により構成されていることを特徴とする電気掃除機。
【請求項２】
前記塵埃貯留部が集塵ケースにより形成され、
前記集塵ケースには、吸口体より吸引した塵埃を含む吸い込み気流を回転させて遠心分離する分離室と、前記分離室において吸い込み気流から分離された塵埃を貯留する貯留室とを有し、
前記分離室には電動送風機と連通する第1吸気部が、貯留室には電動送風機と連通する第２吸気部がそれぞれ設けられ、
前記濾過フィルターが少なくとも前記第２吸気部に配置されていることを特徴とする請求項１に記載の電気掃除機。
【請求項３】
前記貯留室には貯留された塵埃を排出するための塵埃出口と、前記塵埃出口を開閉自在に取り付けられた蓋体が設けられており、
前記第２吸気部は前記蓋体に設けられていることを特徴とする請求項２記載の電気掃除機。
【請求項４】
前記濾過フィルターが着脱自在に取り付けられていることを特徴とする請求項１乃至３のいずれかに記載の電気掃除機。
【請求項５】
前記濾過フィルターをエッチング加工により形成したことを特徴とする請求項１乃至４のいずれかに記載の電気掃除機。
【請求項６】
前記濾過フィルターは、金属板により構成されたフィルター部と、前記フィルター部の縁部に形成された枠体と、前記フィルター部の吸い込み気流に対して下流側の面に設けられた補強リブとから形成されていることを特徴とする請求項１乃至５のいずれかに記載の電気掃除機。
【請求項７】
前記濾過フィルターを構成する金属板の材料としてステンレスが使用されていることを特徴とする請求項１乃至６のいずれかに記載の電気掃除機。
【請求項８】
前記金属板に設けられた前記微小な開口よりなる複数の貫通孔は、貫通孔の径の関係が、吸い込み気流に対して上流側の貫通孔の孔径と下流側の貫通孔の孔径で異なる大きさに形成され、前記貫通孔の断面形状が通過する気流に対しテーパ形状に形成されていることを特徴とする請求項１乃至７に記載の電気掃除機
【請求項９】
前記貫通孔の孔径が、
上流側の貫通孔の孔径＜下流側の貫通孔の孔径
で形成されていることを特徴とする請求項８に記載の電気掃除機。
【発明の詳細な説明】
【技術分野】
【０００１】
本発明は電気掃除機、特に吸い込み気流から塵埃を除去する濾過フィルターの改良に関する。
【背景技術】
【０００２】
従来、電気掃除機の吸い込み気流から塵埃を除去する濾過フィルターは、不織布により形成されるのが一般的であった。このような不織布は繊維を織り込んだ目の細かい通気性を有する素材であるため、この目を通過できない塵埃を気流から除去することができるものであった。
【０００３】
また近年では、気流に渦流を発生させ、遠心力により気流から塵埃を除去する掃除機の需要が伸びてきている。このような掃除機では塵埃を気流により遠心分離して、分離した塵埃を貯留部に貯留しておく際、貯留部に不織布フィルターを設けておいて、気流のみを貯留部から排出させることで、気流により貯留された塵埃を圧縮することのできる技術が知られている。（たとえば特許文献１参照）
【０００４】
【特許文献１】特許第３３６５４１０号公報
【発明の開示】
【発明が解決しようとする課題】
【０００５】
ところが、不織布は繊維を織り込んで形成されているため、その表面に繊維による凹凸が存在し、この凹凸に塵埃が絡み付くため、塵埃処理の際に濾過フィルターを掃除しても、なかなか除去することができないという問題があった。また、気流が不織布を通過するときに、繊維の奥まで微細塵が進入してしまい、繊維の奥まで進入してしまった塵埃は、さらに除去が困難になっていた。
【０００６】
また、貯留した塵埃を気流により圧縮する構成においては、塵埃がフィルターに対して押し付けられる形となり、除去の困難さはさらに増し、フィルターの目詰まりによる消費電力の上昇や、清掃効率の悪化なども予想される。
【０００７】
さらに不織布は静電気を発生することもあり、静電気が発生すると、塵埃が不織布表面に吸引されてしまうこともあった。特に不織布を気流が通りぬける際、空気との摩擦が起こり、ここで発生してしまう静電気は実質的に防ぐのが困難であった。
【０００８】
このように従来の電気掃除機では、濾過フィルターに付着する塵埃の除去は、清掃効率、掃除機の吸い込み風量の確保等のために欠くことのできない必要な作業であったが、濾過フィルターの清掃性が十分なものはなかった。また、濾過フィルターの清掃が不充分であると、せっかくフィルターから塵埃の除去を行っても十分な清掃効率、掃除機の吸い込み風量等に復帰しないことも考えられた。
【０００９】
本発明は前記課題に鑑みなされたものであり、濾過フィルターに付着した塵埃の除去を簡単に行える電気掃除機を提供することを目的とする。
【課題を解決するための手段】
【００１０】
前記目的を達成するために、本発明にかかる電気掃除機は、清掃面から塵埃を吸い込む吸口体と、前記吸口体から吸引した塵埃を貯留する塵埃貯留部と、吸い込み気流を発生させる電動送風機を有し、前記吸い込み気流に対して前記電動送風機の上流側に塵埃貯留部を配置し、前記塵埃貯留部と前記電動送風機の間に濾過フィルターを設け、前記濾過フィルターは、表面が平坦で、微小な開口よりなる複数の貫通孔が設けられた金属板により構成されていることを特徴とする。
【発明の効果】
【００１１】
本発明の電気掃除機によれば、濾過フィルターの清掃性が向上され、濾過フィルターに付着した塵埃を落としやすくすることが可能となる。
【発明を実施するための最良の形態】
【００１２】
実施の形態１．
以下、本発明の一実施形態を例に挙げて詳しく説明する。図１は本発明の一実施形態における電気掃除機の全体斜視図である。同図に示す電気掃除機１は、床面等の清掃面から塵埃を吸い込む吸口体２と、吸口体２の清掃面との接触面側に形成された吸口(図示せず)と連通するパイプ３、パイプ３と連通するホース４、そしてホース４と接続された掃除機本体５から構成されている。
【００１３】
図２は図１におけるＡ−Ａ直線での本体５の縦断面図である。同図に示すように本体５はホース４を接続するための接続口６が形成されている。そして本体５内部には、この接続口６と連通され、吸口体２から吸引した塵埃を貯留する塵埃貯留部７と、吸い込み気流を発生させる電動送風機８を有している。本体５の外郭は、本体上部の略後ろ半分を形成する上ケース９、本体下部を形成する下ケース１０及び本体上部の前方略半分を上ケース９に対して回動自在に覆う蓋１１により構成されている。
【００１４】
図３は本実施形態における電気掃除機１の本体５の斜視図である。本実施形態における電気掃除機１の本体５は、蓋１１を開放すると、内部に塵埃貯留部７である集塵ケース１２が収容されている。この集塵ケース１２は、本体５の内部の集塵ケース収容部１３に対して着脱自在に構成されている。
【００１５】
図４は図３におけるＢ-Ｂ直線でのケース体１２の上面断面図である。同図に示すように本実施形態における電気掃除機１の塵埃貯留部７は集塵ケース１２により形成されており、この集塵ケース１２には、吸口体２より吸引した塵埃を含む吸い込み気流を回転させて遠心分離する分離室１４と、分離室１４において吸い込み気流から分離された塵埃を貯留する貯留室１５とを有している。
【００１６】
前記分離室１４は略円筒形の形状になっていて、図２に示すように集塵ケース１２を集塵ケース収容部１３にセットすると、接続口６が分離室１４の中心線より上方で接続され、接続口６と分離室１４の円筒の接線方向で端部から気流が導入されるようにパッキン１６を介して空気の漏れを防ぎながら接続される。また分離室１４の中央部には、気流に含まれる塵埃を遠心分離させるための旋回気流を排出する略円筒形状の第１吸気部１７が設けられている。この第１吸気部１７には図３に示すように、大きな塵埃の侵入を防ぐためのメッシュ状のフィルター１８で覆われている。この第１吸気部１７を有する吸い込み気流風路を形成するサイクロンキャップ１９は、図３及び図４に示すようにシール材２０を介して集塵ケース１２に対して着脱自在となっている。このような構成によって、塵埃を含む吸い込み気流が接続口６より集塵ケース１２内に導入されると、分離室４にて旋回気流が発生し、遠心力によって塵埃のみが分離され、塵埃を含まない気流がフィルター１８からサイクロンキャップ１９内部に導入されて電動送風機８に吸引されるようになっている。
【００１７】
また図４に示すように、分離室１４と貯留室１５は、塵埃が分離室１４内部に導入される導入口２１とその軸線がずれるように位置をずらして、塵埃排出口２２が分離室１４の円筒の接線方向と略水平方向となるように設けられて連通されている。これにより、分離室１４で発生する旋回気流により遠心分離された塵埃は回転しながら遠心力により塵埃排出口２２より貯留室１５内部に排出される。また貯留室１５内部には電動送風機８に連通する第２吸気部２３が設けられいる。このため塵埃排出口２２からは吸い込み気流の一部も貯留室１５内部に導入され、貯留室１５内部に貯留された塵埃を圧縮しながら電動送風機８に吸引されることとなる。
【００１８】
本実施形態における電気掃除機１では、第２吸気部２３において、吸い込み気流に対して電動送風機８の上流側に塵埃貯留部７である集塵ケース１２が配置されており、塵埃貯留部７と電動送風機８の間に濾過フィルター２４を設けている。そして、濾過フィルター２４は、表面が平坦で、微小な開口よりなる複数の貫通孔が設けられた金属板により構成されている。濾過フィルター２４は、金属板に穴を開けて、表面上はほぼ凹凸の無い形状であるため、フィルターの目を通過できない塵埃が、フィルター表面の凹凸に引っかかることがなく良好に払い落とし易くすることができるようになる。また、金属は不織布等に比べ摩擦係数が少ないため、付着した塵埃をより簡単に払い落とすことが可能である。なお、金属板に形成する穴の大きさは可能な限り小さい方が良いが、あまり小さすぎると相対的な開口面積が増し、金属板の強度が弱くなり、また大きすぎるとフィルターとしての十分な機能を発揮できなくなるため、φ０．０１ｍｍ〜φ１．５ｍｍ、さらにはφ０．１ｍｍ〜φ１．０ｍｍが最適である。
【００１９】
このように金属板で濾過フィルター２４を形成することにより、その形状で有する前述の効果だけでなく、金属は内部での電荷分布に不均一を生じることがないから静電気も発生することがないため、吸い込み気流中に配置しても空気との摩擦で静電気を発生することもなく、付着した塵埃を電気的にも吸引してしまうこともないため払い落とし易くすることができる。また、不織布のように繊維の奥深くまで塵埃が進入してしまうことも防止でき、この点からも塵埃を落とし易くすることが可能である。このように濾過フィルター２４が金属で形成されていることにより、フィルターの清掃性を格段に向上でき、また、フィルターの清掃により掃除機の吸い込み風量を元通り確保し易くすることが可能となる。
【００２０】
また、本実施形態では、塵埃貯留部７が集塵ケース１２により形成され、集塵ケース１２には、吸口体より吸引した塵埃を含む吸い込み気流を回転させて遠心分離する分離室１４と、分離室１４において吸い込み気流から分離された塵埃を貯留する貯留室１５とを有し、分離室１４には電動送風機８と連通する第1吸気部１７が、貯留室１５には電動送風機８と連通する第２吸気部２３がそれぞれ設けられており、濾過フィルター２４が少なくとも第２吸気部２３に配置されている。このように形成されているため、金属で形成された濾過フィルター２４には、吸い込み気流の一部が第２吸気部２３から電動送風機８に吸気され、この際、貯留室１５に貯留されている塵埃を貯留室１５内で圧縮することができるため、より多くの塵埃を貯留室１５内に貯留することができるようになる。そして、このように圧縮して塵埃を貯留していると、前述の濾過フィルター２４に塵埃が押し付けられることとなるが、濾過フィルター２４に塵埃が押し付けられても濾過フィルター２４に付着した塵埃は払い落とし易く、濾過フィルター２４の清掃性を悪化させることがない。
【００２１】
また、このような形態であれば、次のような効果も奏することができる。図５は、本実施形態における電気掃除機の集塵ケース１２内部での吸い込み気流を模式的に示した説明図である。同図に示すように本実施形態では、電動送風機８を動作させると、清掃面より塵埃を含んだ吸い込み気流２５が吸口体２、パイプ３、ホース４を介して、本体５内部の集塵ケース１２に導入される。そして、集塵ケース１２の分離室１４に導入された吸い込み気流２５は分離室１４内で旋回気流を発生させ遠心力により塵埃が分離され、吸い込み気流の一部２６は第１吸気部１７に設けられたメッシュ状のフィルター１８を通過してサイクロンキャップ１９内部を通り電動送風機８に吸引される。また、残りの吸い込み気流２７は貯留室１５内に導入され、貯留室１５内部に貯留された塵埃を圧縮しながら、濾過フィルター２４を通過し、やはり電動送風機８に吸引される。そして、塵埃が貯留室１５内部に多量にたまってきたとしても、吸い込み気流が電動送風機８に吸引される経路は２つ確保されているので、たとえ吸い込み気流２７がたまってしまった塵埃により十分な強さを確保できなくとも、吸い込み気流２６側にその分の気流が流れることができるため、貯留された塵埃が多量になってきても比較的掃除機の吸い込み風量が落ちづらい構成とすることができ、いつでも良好な清掃出力を得ることが可能となる。
【００２２】
なお、本実施形態では、図４に示すように、サイクロンキャップ１９の気流出口２８、及び、濾過フィルター２４を通過した後の第２吸気部２３には、ウレタン系フィルター２９が取り付けられている。このウレタン系フィルター２９は、第1吸気部１７と前記第２吸気部２３からの気流の両方を濾過する構成になっている。よって、第1吸気部１７に覆われているメッシュフィルター１８を通過した微細塵と第２吸気部２３に設置されている濾過フィルター２４を通過した微細塵を捕集することが出来、通常の塵埃はメッシュフィルター１８と濾過フィルター２４で捕集し、ここを通過してしまった微細塵をウレタン系フィルター２９で捕集して、電動送風機８に塵埃が進入してしまうことを防止している。
【００２３】
さらに、図３に示すように、掃除機本体５のウレタン系フィルター２９を通過した気流が通過する部分には、プリーツ状の静電フィルター３０が取り付けられていて、静電フィルター３０は、ウレタン系フィルター２９を通過してしまった超微細塵を捕集することにより、ほぼ９９％の捕集率を確保することが出来るようになっている。このように各フィルターの種類の役割を分けることにより、それぞれのフィルターの清掃頻度を、各フィルター毎に設定できる。つまり、大きな塵埃を捕集するフィルターの清掃頻度を高く設定し、塵埃排出時にあわせてメンテナンスを行えるようにできる。そして、このような清掃頻度の高いフィルターを濾過フィルター２４により構成しておけば、厄介なフィルター掃除の清掃性を向上でき、掃除機自体の使い勝手を向上することができる。
【００２４】
なお本実施形態では、金属で形成した濾過フィルターを第２吸気部２３に設けた濾過フィルター２４のみの形態で説明しているが、本発明はこれに限られるものではなく、たとえばメッシュ状のフィルター１８や、ウレタン系フィルター２９、静電フィルター３０の代わりにそれぞれの目の大きさを調整した金属板のフィルターを設けても良く、このように形成すれば、いずれのフィルターの清掃性を向上でき、しいては掃除機自体の使い勝手を向上することが可能となる。
【００２５】
また、図６は、本発明の一実施形態における集塵ケース１２の構成を説明するための斜視図である。同図（ａ）に示すように、本実施形態における電気掃除機１では、集塵ケース１２における貯留室１５に貯留された塵埃を排出するための塵埃出口３０と、塵埃出口３０を開閉自在に取り付けられた蓋体３１が設けられている。そして図６（ｂ）に示すように、蓋体３１には、貯留室１５に面した側に濾過フィルター２４が、その裏面側にウレタン系フィルター２９が配置され、第２吸気部２３は蓋体３１に設けられている。また、本実施形態における蓋体３１には、サイクロンキャップ１９の気流出口２８も一体に設けられている。
【００２６】
蓋体３１は、その周囲にパッキン３２が設けられており、集塵ケース本体３３の下部で回動することで、塵埃出口３０をパッキンによって気密に開閉自在に閉塞することが可能となっている。蓋体３１の上部には保持部材３４が設けられており、この保持部材３４は、集塵ケース本体上部に取り付けられた爪部材３５により閉塞保持される。この爪部材３５は、ボタン３６の押圧に伴い、上下動し、保持部材３４を保持・解除を行うことができるようになっている。このような構成により集塵ケース１２の貯留室１５内部に塵埃がたまってしまったときには、集塵ケース１２を本体５から取り外し、ゴミ箱の上などでボタン３６を押すことにより、爪部材が下方に動作し、爪部材３５から保持部材３４が外れる。そして、集塵ケース１２をゴミ箱の上で傾けると、図７に示すように蓋体３１が重力により開き、同時に塵埃が外部に排出される。このように、本実施形態における集塵ケース１２は、ボタン３６を押圧し、ケース１２をゴミ箱などに傾けるだけでワンタッチでゴミ捨てでき、使用者が手を汚してしまうことがなく便利である。また、貯留室１５内部の塵埃を捨てる際、集塵ケース１２の蓋体３１の貯留室１５に面した側には、濾過フィルター２４が配置されているので、貯留室１５内にたまった塵埃を簡単捨てられ、もし濾過フィルター２４に塵埃が付着してしまっても簡単に塵埃を払い落とすことができる構成となっている。
【００２７】
さらに本実施形態における集塵ケース１２では、図６（ｃ）に示すように蓋体３１に対して、濾過フィルター２４が着脱自在に取り付けられている。このように蓋体３１に対して、濾過フィルター２４が着脱自在に取り付けられており、濾過フィルター２４が金属で形成されているため、例えば濾過フィルター２４が、目詰まりした場合、気流の流路が塞がれてしまうため、圧損が発生し吸込み力が低下することも考えられるが、濾過フィルター２４に塵埃が付着し、汚れがひどかった場合などには、濾過フィルター２４を蓋体31から取り外し、そのまま水洗いを行うことができ、より簡単に塵埃を除去することが可能となる。また、このように水洗いすると、濾過フィルター２４自体には静電気が発生しないが、塵埃に静電気が発生してしまっている場合でも、水につけることによって放電され、より良好に塵埃の濾過フィルターからの除去が容易となる。このように、濾過フィルター２４を蓋体３１から取り外すことにより、水洗い等が簡単に行うことができ、清掃性が向上する。
【００２８】
なお、濾過フィルター２４を構成する金属板の材料としてステンレスを使用すると、防錆性、防腐食性が良好となり、水洗い後のメンテナンスが不充分であったとしても濾過フィルター２４に錆などが発生しにくく、たとえば錆などが発生して濾過フィルター２４に設けられた貫通孔をふさいでしまうなどの問題を発生することなく、長期にわたり品質を良好に保つことが可能となる。
【００２９】
また、図８に濾過フィルター２４の斜視図を記載する。同図(a)に示すように、本実施形態における濾過フィルター２４は、表側から見たときに金属板により構成されたフィルター部３７と、フィルター部３７の縁部に形成された樹脂製の枠体３８と、図８（ｂ）に示すように裏側から見たときにフィルター部３７の吸い込み気流に対して下流側の面に設けられた樹脂製の補強リブ３９とから形成されている。このような構成により、金属板で形成されたフィルター部３７の厚さが薄いものであっても十分な強度を備えることができ、フィルター自体の軽量化も図ることができる。特に、フィルター部３７の上流側の面は、塵埃が押し付けられるため、フィルター部３を周囲に設けられた枠体３８と裏面に存在する補強リブ３９にて十分な強度を有し、塵埃が押し付けられる圧力に耐え得る強度を備えることが可能となる。そして、この補強リブ３９は、吸い込み気流に対してフィルター部３７の下流側の面に設けられているので、フィルター部３７に塵埃が押し付けられても、フィルター部３７の表面は平らなため、フィルター部３７に付着した塵埃を払い落とし易い。そして補強リブ３９はフィルター部３７からの塵埃の払い落としに影響なく、変形防止の補強が可能となっている。
【００３０】
なお、本実施形態では、さらに蓋体３１の吸い込み気流に対して下流側の面に設けられたウレタン系フィルター２９も枠体及び吸い込み気流に対して下流側の面に設けられた補強リブとが一体にも受けられた補強体４０とフィルター部４１とから構成されている。図９は本実施形態におけるウレタン系フィルター２９の斜視図である。同図（ａ）に示すように本実施形態ではウレタン系フィルター部４１が枠体及び補強リブとが設けられた補強体４０にはめ込まれて使用されている。補強体４０には図９（ｂ）に示すように、気流出口２８及び第２吸気部２３にウレタン系フィルター部４１を保持して固定するための爪部４２が設けられており、蓋体３１に着脱自在に取り付けられている。このような構成によりウレタン系フィルター部４１を良好に気流に対して保持できることはもとより、例えば濾過フィルター２４を通過してしまった微細塵により目が詰まってきたらウレタン系フィルター部４１をはずして塵埃の除去を行うことができ、清掃性が向上する。また、ウレタン系フィルター部４１の目詰まりが激しく、フィルターの清掃をしても十分に塵埃を除去できない場合にはウレタン系フィルター部４１のみを交換することで元通りの吸い込み風量を確保することができるため、メンテナンス性も向上できるようになっている。
【００３１】
ところで、濾過フィルター２４を形成するフィルター部３７に形成された複数の貫通口は、その開口径が吸い込み気流に対して上流側と下流側で異なるものであっても良い。図１０は、フィルター部３７の断面図である。同図（ａ）に示すようにフィルター部３７に設けられた貫通孔４２は吸い込み気流に対して上流側と下流側で同一の大きさとなっている。このような形態であっても十分にフィルターとしての役割を果たすことができる。
【００３２】
これに対して図１０（ｂ）に示すようにフィルター部３７である金属板に設けられた微小な開口よりなる複数の貫通孔４３は、貫通孔の径の関係が、吸い込み気流に対して上流側の貫通孔の孔径と下流側の貫通孔の孔径で異なる大きさに形成され、貫通孔の断面形状が通過する気流に対しテーパ形状に形成されている。このように形成すると貫通孔を流れる気流の流速をある程度操作することが可能となり、濾過フィルター２４を設ける部位に合った気流が得られるよう、調整することが可能となる。
【００３３】
特にこのような形態において、貫通孔４３の孔径が、上流側の貫通孔４３の孔径φｄ＜下流側の貫通孔４３の孔径φＤで形成されていると、下流側のフィルター部３７の金属板でのエッジ部分４４の角度が大きくなる。気流は狭いところから広い空間に流れるときに、このエッジ部分４４の角が小さいとそのエッジ部分４４近傍で乱流が発生し、気流が流れにくくなる。そこでこのようにエッジ部分４４の角度をなるべく大きく滑らかにすることにより、乱流を抑制することが出来、気流が流れやすくなり吸込み力の低減を抑制することが出来る。
【００３４】
なお金属板にこのような微小な開口径を有する貫通孔を形成する場合、エッチング加工により形成するのが良い。このような貫通孔を例えばプレス方式で加工する場合、極小の穴を構成することが非常に困難であり、孔径が大きいと、塵埃が通過してしまいフィルター効果が無くなってしまう。また、プレス時の負荷により貫通孔同士がつながってしまうような破壊が起きたり、バリなどが発生し、このバリに塵埃が絡み付き易くなったりするなどの不具合が発生することも考えられる。これに対し、エッチング加工により貫通孔を形成すれば、表面にはバリ等が無く、ほぼ凹凸のない加工することができ、また貫通孔の孔径も調整し易くなり、エッジ部分なども滑らかに形成することも可能となる。
【００３５】
実施の形態２．
前述の実施の形態では、集塵ケースを有するサイクロン方式の掃除機を例に挙げて説明したが、本発明は本構成にのみ限定されるものではなく、例えば、吸口体から吸引した塵埃を貯留する紙パック式の塵埃貯留部と、吸い込み気流を発生させる電動送風機の間に表面が平坦で、微小な開口よりなる複数の貫通孔が設けられた金属板により構成された濾過フィルターを設ける構成や、吸口体から吸引した塵埃を貯留する単純な空間部で形成された塵埃貯留部と、吸い込み気流を発生させる電動送風機の間に表面が平坦で、微小な開口よりなる複数の貫通孔が設けられた金属板により構成された濾過フィルターを設ける構成であっても良く、このような掃除機に前述の濾過フィルターを用いても濾過フィルターの清掃性が向上され、濾過フィルターに付着した塵埃を落としやすくすることが可能となる。
【図面の簡単な説明】
【００３６】
【図１】本発明の一実施形態における電気掃除機の全体斜視図である。
【図２】図１におけるＡ−Ａ直線での本体の縦断面図である。
【図３】本発明の一実施形態における電気掃除機の本体の斜視図である。
【図４】図３におけるＢ-Ｂ直線でのケース体の上面断面図である。
【図５】本発明の一実施形態における電気掃除機の集塵ケース内部での吸い込み気流を模式的に示した説明図である。
【図６】本発明の一実施形態における集塵ケース１２の構成を説明するための斜視図である。
【図７】本発明の一実施形態における電気掃除機のゴミ捨て時の様子を示した斜視図である。
【図８】本発明の一実施形態における濾過フィルターの斜視図である。
【図９】本発明の一実施形態におけるウレタン系フィルターの斜視図である。
【図１０】本発明の一実施形態におけるフィルター部３７の断面図である。
【符号の説明】
【００３７】
１  電気掃除機、２  吸口体、３  パイプ、４  ホース、５  掃除機本体、６  接続口、７  塵埃貯留部、８  電動送風機、９  上ケース、１０  下ケース、１１  蓋、１２  集塵ケース、１３  集塵ケース収容部、１４  分離室、１５  貯留室、１６  パッキン、１７  第１吸気部、１８  メッシュ状フィルター、１９  サイクロンキャップ２０  シール材、２１  導入口、２２  塵埃排出口、２３  第２吸気部、２４  濾過フィルター２４、２５  吸い込み気流、２６  吸い込み気流の一部、２７残りの吸い込み気流、２８  気流出口、２９  ウレタン系フィルター、３０  静電フィルター、３１  蓋体、３２  パッキン、３３  集塵ケース本体、３４  保持部材、３５  爪部材、３６  ボタン、３７  フィルター部、３８  枠体、３９  補強リブ、４０  補強体、４１  ウレタン系フィルター部、４２  貫通孔、４３  貫通孔、４４  エッジ部分。
【図１】
2005052394.tif 000003
【図２】
2005052394.tif 000004
【図３】
2005052394.tif 000005
【図４】
2005052394.tif 000006
【図５】
2005052394.tif 000007
【図６】
2005052394.tif 000008
【図７】
2005052394.tif 000009
【図８】
2005052394.tif 000010
【図９】
2005052394.tif 000011
【図１０】
2005052394.tif 000012